(57)【要約】【課題】ホイールの開口部の洗い残しを低減できる洗車機を提供する。【解決手段】被洗浄車両ＣＡに対して前後方向に移動する洗車機本体１に被洗浄車両ＣＡの車輪１００を洗浄するホイール洗浄ブラシ６を設けた洗車機ＷＡにおいて、ホイール洗浄ブラシ６が洗車機本体１に支持されて水平な回転軸Ｄ１で回転する支持部６ｂと、支持部６ｂに対して揺動可能に支持されるブラシ本体６ａと、ブラシ本体６ａに固着されるブラシ毛６ｃとを有し、支持部６ｂの回転を停止するとともにブラシ本体６ａをブラシ毛６ｃの毛先面６ｄが回転軸Ｄ１に対して傾斜した所定の揺動位置で固定してホイール洗浄ブラシ６を水平方向に往復移動させる往復洗浄動作を行う。【選択図】図６
2014184770.tif 000002
【特許請求の範囲】
【請求項１】
被洗浄車両に対して前後方向に移動する洗車機本体に被洗浄車両の車輪を洗浄するホイール洗浄ブラシを設けた洗車機において、
前記ホイール洗浄ブラシが前記洗車機本体に支持されて水平な回転軸で回転する支持部と、前記支持部に対して揺動可能に支持されるブラシ本体と、前記ブラシ本体に固着されるブラシ毛とを有し、
前記支持部の回転を停止するとともに前記ブラシ本体を前記ブラシ毛の毛先面が前記回転軸に対して傾斜した所定の揺動位置で固定して前記ホイール洗浄ブラシを水平方向に往復移動させる往復洗浄動作を行うことを特徴とする洗車機。
【請求項２】
前記往復洗浄動作が、前記支持部を複数の回転位置に配してそれぞれの前記回転位置で往復移動を所定回数行うことを特徴とする請求項１に記載の洗車機。
【請求項３】
前記毛先面を鉛直に配して前記ホイール洗浄ブラシを回転させる回転洗浄動作を前記往復洗浄動作後または前記往復洗浄動作前に行うことを特徴とする請求項１又は２に記載の洗車機。
【発明の詳細な説明】
【技術分野】
【０００１】
本発明は、被洗浄車両の車輪を洗浄するホイール洗浄ブラシを備えた洗車機に関する。
【背景技術】
【０００２】
給油所等に設置される従来の洗車機は特許文献１に開示される。洗車機は洗車機本体を備えている。洗車機本体は左右の対向する２つのスタンド部と、スタンド部の上端を連結する天井部とを有して門型に形成され、被洗浄車両を跨いで前後方向に移動する。両スタンド部の下部には被洗浄車両の車輪を洗浄するホイール洗浄ブラシが設けられる。
【０００３】
ホイール洗浄ブラシは洗車機本体に支持されて水平な回転軸で回転する支持部と、支持部の先端に設けられるブラシ本体と、ブラシ本体に固着されるブラシ毛とを有している。
【０００４】
ユーザが洗車条件を設定すると、洗車機本体は被洗浄車両に対して前後方向に移動して洗浄を開始する。洗車機本体が前進してホイール洗浄ブラシの面前に車輪が配されると、洗車機本体は前進移動を停止し、ホイール洗浄ブラシを水平方向に往復移動させる。
【先行技術文献】
【特許文献】
【０００５】
【特許文献１】特開２００４−１１４９５８号公報
【発明の概要】
【発明が解決しようとする課題】
【０００６】
被洗浄車両の車輪のホイールには開口部が設けられる場合がある。上記従来の洗車機によると、ブラシ毛が開口部の周壁に略平行に配されているため、開口部の周壁にブラシ毛が当接し難い。従って、開口部の周壁に洗い残しが発生するという問題があった。
【０００７】
本発明は、ホイールの開口部の洗い残しを低減できる洗車機を提供することを目的とする。
【課題を解決するための手段】
【０００８】
上記目的を達成するために本発明は、被洗浄車両に対して前後方向に移動する洗車機本体に被洗浄車両の車輪を洗浄するホイール洗浄ブラシを設けた洗車機において、前記ホイール洗浄ブラシが前記洗車機本体に支持されて水平な回転軸で回転する支持部と、前記支持部に対して揺動可能に支持されるブラシ本体と、前記ブラシ本体に固着されるブラシ毛とを有し、前記支持部の回転を停止するとともに前記ブラシ本体を前記ブラシ毛の毛先面が前記回転軸に対して傾斜した所定の揺動位置で固定して前記ホイール洗浄ブラシを水平方向に往復移動させる往復洗浄動作を行うことを特徴とする。
【０００９】
また、本発明は上記構成の洗車機において、前記往復洗浄動作が、前記支持部を複数の回転位置に配してそれぞれの前記回転位置で往復移動を所定回数行うことを特徴とする。
【００１０】
また、本発明は上記構成の洗車機において、前記毛先面を鉛直に配して前記ホイール洗浄ブラシを回転させる回転洗浄動作を前記往復洗浄動作後または前記往復洗浄動作前に行うことを特徴とする。
【発明の効果】
【００１１】
本発明によると、ホイール洗浄ブラシの回転を停止してブラシ毛の毛先面が傾斜した状態で往復移動する往復洗浄動作を行う。このため、車輪のホイールの開口部の周壁にブラシ毛が当接し、開口部の周壁の洗い残しを低減することができる。
【図面の簡単な説明】
【００１２】
【図１】本発明の実施形態の洗車機を示す側面図
【図２】本発明の実施形態の洗車機を示す正面図
【図３】本発明の実施形態の洗車機のホイール洗浄ブラシを示す側面図
【図４】本発明の実施形態の洗車機のホイール洗浄ブラシを示す側面図
【図５】本発明の実施形態の被洗浄車両の車輪を示す正面図
【図６】本発明の実施形態の洗車機のホイール洗浄ブラシを示す側面図
【図７】本発明の実施形態の洗車機のホイール洗浄ブラシを示す側面図
【発明を実施するための形態】
【００１３】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル（操作部）７Ａを備えている。洗車機本体１は左右の対向する２つのスタンド部９０と、スタンド部９０の上端を連結する天井部９１とを有して門型に形成される。
【００１４】
レール２は地面Ｇに左右一対設けられ、洗車機本体１の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００１５】
リモートパネル７Ａは洗車機本体１の進入経路上に配される。被洗浄車両ＣＡはリモートパネル７Ａの面前で停車し、ユーザは被洗浄車両ＣＡ内からリモートパネル７Ａの操作によって洗車条件の設定を行う。リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００１６】
また、リモートパネル７Ａには被洗浄車両ＣＡの車輪１００の開口部１０２ａ（図５参照）の有無を設定するボタンが設けられている。開口部有を設定することにより、車輪１００の開口部１０２ａの内壁を後述するホイール洗浄ブラシ６によって洗浄することができる。
【００１７】
洗車機本体１の側方には洗剤やワックス等の各種液剤を貯液した複数の貯液タンク（不図示）を収納するタンク収納部５０が配される。タンク収納部５０の上方には市水及び各貯液タンクからの液剤を分配する分配配管部５１が設けられる。分配配管部５１には第１、第２浄水ノズル１１、１３、第１、第２洗剤ノズル１２、１５、撥水コートノズル１４、ワックスノズル１６がそれぞれ電磁弁を介して導出される。
【００１８】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの洗浄液を噴射する。  
【００１９】
撥水コートノズル１４及びワックスノズル１６は洗車機本体１の後面に配される。撥水コートノズル１４は被洗浄車両ＣＡに対して撥水コート剤の液剤を噴射する。ワックスノズル１６は被洗浄車両ＣＡに対してワックスを噴射する。
【００２０】
また、洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は洗車機本体１の中央上部に設けられ、被洗浄車両ＣＡの天井面に向けて送風する。
【００２１】
サイド送風ノズル２２は洗車機本体１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００２２】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、各回転ブラシの初期位置、洗車機本体１の走行範囲及び車輪１００の位置が決められる。
【００２３】
洗車機本体１の一方のスタンド部９０の前面には操作パネル７が配される。操作パネル７はリモートパネル７Ａと同様に洗車条件を設定する操作ボタン（不図示）を備え、被洗浄車両ＣＡから降車したユーザ等の操作により洗車の受け付けや洗車条件の設定を行う。
【００２４】
洗車機本体１には被洗浄車両ＣＡ上に摺動してブラッシングする複数の回転ブラシが設けられる。回転ブラシはそれぞれ回転モータ（不図示）によって回転する。回転ブラシはトップブラシ４、サイドブラシ５及びホイール洗浄ブラシ６から成る。トップブラシ４は被洗浄車両ＣＡの上面を洗浄し、サイドブラシ５は被洗浄車両ＣＡの両側面を洗浄する。
【００２５】
ホイール洗浄ブラシ６はスタンド部９０の下部に左右一対に設けられている。図３、図４はホイール洗浄ブラシ６を示す側面図である。ホイール洗浄ブラシ６は支持部６ｂ、ブラシ本体６ａ及びブラシ毛６ｃを有している。
【００２６】
支持部６ｂは洗車機本体１に支持され、水平な回転軸Ｃで回転モータ（不図示）により回転する。ブラシ本体６ａは支持部６ｂの先端に揺動可能に支持されている。ブラシ毛６ｃはブラシ本体６ｂの端面に多数植設される。
【００２７】
洗車機本体１はホイール洗浄ブラシ６を矢印Ｄのように水平方向に往復移動させることができる。また、洗車機本体１は支持部６ｂの回転を停止するとともに、ブラシ本体６ａをブラシ毛６ｃの毛先面６ｄが回転軸Ｃに対して角度θだけ傾斜した所定の揺動位置で固定できる。
【００２８】
図５は車輪１００の一例を示す正面図である。車輪１００はホイール１０２の周囲にタイヤ１０１が配される。ホイール１０２には複数の開口部１０２ａが設けられる場合と、ホイールキャップにより覆われて開口部１０２ａが設けられない場合がある。
【００２９】
開口部１０２ａが設けられる場合にはリモートパネル７Ａのユーザ操作によって「開口部有」の設定が行われる。また、開口部１０２ａが設けられない場合にはリモートパネル７Ａのユーザ操作によって「開口部なし」の設定が行われる。
【００３０】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。図６はホイール洗浄ブラシ６の側面図を示している。ユーザは洗車条件を設定する際、車輪１００に開口部１０２ａ（図５参照）が設けられている場合には「開口部有」の設定を行う。
【００３１】
洗車条件を設定した後、ユーザは所定の洗浄開始位置まで被洗浄車両ＣＡを移動させる。そして、洗車機本体１が前後方向に移動して被洗浄車両ＣＡを跨ぎ、各回転ブラシや送風ブロアによって洗浄及び乾燥が行われる。
【００３２】
また、洗車機本体１の前進によって、ホイール洗浄ブラシ６の面前に被洗浄車両ＣＡの車輪１００が配されると、洗車機本体１の前進は一時的に停止される。この時、リモートパネル７Ａにより「開口部有」に設定されている場合には、ホイール洗浄ブラシ６を矢印Ｄ（図４参照）の方向に往復移動させる往復洗浄動作が行われる。
【００３３】
往復洗浄動作は支持部６ｂの回転を停止し、ブラシ本体６ａを毛先面６ｄが回転軸Ｃに対して所定の角度θ（図４参照）だけ傾斜した揺動位置で固定される。
【００３４】
そして、洗車機本体１はホイール洗浄ブラシ６を水平方向（矢印Ｄ）に往復移動させる往復洗浄動作を複数回行う。これにより、図６に示すようにブラシ毛６ｃの先端６ｅが開口部１０２ａの周壁１０２ｂに当接し、周壁１０２ｂが洗浄される。
【００３５】
その後、支持部６ｂを所定の回転角度（本実施形態では３０゜）だけ回転して停止し、この回転位置でホイール洗浄ブラシ６の往復移動を所定回数行う。この動作を支持部６ｂが１回転するまで繰り返し行う。複数の回転位置でホイール洗浄ブラシ６を往復移動することにより、周壁１０２ｂの全周を洗浄することができる。
【００３６】
そして、洗車機本体１は往復洗浄動作の後に連続し、図７に示すように毛先面６ｄを鉛直に配してホイール洗浄ブラシ６を回転させる回転洗浄動作を行う。これにより、ブラシ毛６ｃの先端６ｅがタイヤ１０１及びホイール１０２の表面を洗浄する。なお、回転洗浄動作は往復洗浄動作の前に行ってもよい。
【００３７】
また、リモートパネル７Ａにより「開口部なし」に設定されている場合には、往復洗浄動作が省かれ、回転洗浄動作が行われる。
【００３８】
本実施形態によると、ホイール洗浄ブラシ６の回転を停止してブラシ毛６ｃの毛先面６ｄが傾斜した状態で往復移動する往復洗浄動作を行う。このため、車輪１００のホイール１０２の開口部１０２ａの周壁１０２ｂにブラシ毛６ｃが当接し、開口部１０２ａの周壁１０２ｂの洗い残しを低減することができる。
【００３９】
また、往復洗浄動作が、ホイール洗浄ブラシ６を複数の回転位置に配してそれぞれの回転位置で往復移動を所定回数行うため、周壁１０２ｂの全周が洗浄され洗い残しをより低減することができる。
【００４０】
また、車輪１００のホイール１０２の開口部１０２ａの有無を入力するリモートパネル（操作部）７Ａを備え、開口部１０２ａを有するときに往復洗浄動作を行い、開口部１０２ａが無いときに往復洗浄動作が省かれる。これにより、開口部１０２ａが無い場合に洗浄時間を短縮することができる。
【産業上の利用可能性】
【００４１】
本発明によると、被洗浄車両の車輪を洗浄するホイール洗浄ブラシを備えた洗車機に利用することができる。
【符号の説明】
【００４２】
１    洗車機本体
２    レール
３    車輪
４    トップブラシ
５    サイドブラシ
６    ホイール洗浄ブラシ
６ａ  ブラシ本体
６ｂ  支持部
６ｃ  ブラシ毛
６ｄ  毛先面
６ｅ  先端
７    操作パネル
７Ａ  リモートパネル
１４    撥水コートノズル
１６    ワックスノズル
２０    ブロア
２１    トップ送風ノズル
２２    サイド送風ノズル
５２    車両検知センサ
９０    スタンド部
９１    天井部
１００  車輪
１０１  タイヤ
１０２  ホイール
１０２ａ  開口部
１０２ｂ  周壁
ＣＡ    被洗浄車両
ＷＡ    洗車機
【図１】
2014184770.tif 000003
【図２】
2014184770.tif 000004
【図３】
2014184770.tif 000005
【図４】
2014184770.tif 000006
【図５】
2014184770.tif 000007
【図６】
2014184770.tif 000008
【図７】
2014184770.tif 000009